(57)【要約】  【課題】商品搬出扉の機能を損なうことなく、商品搬出扉の断熱性を高めて高い省エネ効果を得ることができる自動販売機を提供するものである。  【解決手段】商品搬出扉の蓋状部材１ａ、１ｂを複数の枚数にすることによって、蓋状部材同士の空間を空気層として断熱し、また複数箇所でシールすることによって、蓋状部材の断熱性能の向上とシール性の向上ができて商品搬出扉の断熱性能向上が図られ、省エネルギータオプの自動販売機を提供することができるものである。【選択図】図２
2006252397.tif 000002
【特許請求の範囲】
【請求項１】
断熱材で囲まれた収納庫の一部に前記収納庫に収納されている収納物を払い出す払出口と、この払出口を塞ぐ蓋状部材を前後方向に複数枚設けたことを特徴とした自動販売機。
【請求項２】
前記蓋状部材の前方にシート状部材を設けたことを特徴とした請求項１に記載の自動販売機。
【請求項３】
前記シート状部材の周囲にマグネットを配置したことを特徴とした請求項２に記載の自動販売機。
【請求項４】
前記払出口と前記蓋状部材の外周に軟質のガスケットを配置したことを特徴とした請求項１から３のいずれか１項に記載の自動販売機。
【発明の詳細な説明】
【技術分野】
【０００１】
本発明は、商品収納装置に収納された商品を冷却または加温して商品を販売するようにした自動販売機に関し、特にその断熱内扉の商品搬出扉の構造に関するものである。
【背景技術】
【０００２】
従来、この種の自動販売機の商品搬出扉の構造としては商品搬出扉の扉板に断熱カバーを装着し、さらに商品搬出扉と断熱カバーの間に発泡スチロールなどの軽量な断熱材を充填し、商品搬出扉の機能を損なわずに扉の断熱性能を高めたものがあった（特許文献１参照）。
【０００３】
図６は前記文献に記載された従来の自動販売機の商品搬出扉の側面断面図を示すものである。図６において、自動販売機の商品搬出扉は、蓋状部材１、取り付け枠２、シュート３から構成されている。
【特許文献１】特開平８−３１５２３７号公報
【発明の開示】
【発明が解決しようとする課題】
【０００４】
しかしながら、前記従来の構成では、蓋状部材は薄い硬質プラスチックの成形品であるため、断熱性が低く熱リークが大きいという問題があった。
【０００５】
本発明は、上記従来の課題を解決するもので、商品搬出扉の断熱性が高く、熱リークの少ない自動販売機を提供することを目的とする。
【課題を解決するための手段】
【０００６】
前記従来の課題を解決するために、商品搬出扉の蓋状部材を複数枚にすることで、蓋状部材同士の空間を空気層として断熱し、また複数箇所でシールすることで、蓋状部材の断熱性能の向上とシール性の向上ができる。
【発明の効果】
【０００７】
本発明の自動販売機は、商品搬出扉の蓋状部材を複数枚にすることで、蓋状部材の断熱性向上が図られ、熱リークを低減し、消費電力量の低減すなわち省エネを行うことができる。
【発明を実施するための最良の形態】
【０００８】
請求項１に記載の発明は、蓋状部材を前後方向に複数枚設けることにより蓋状部材同士の空間を空気層として断熱し、また複数箇所でシールすることで、蓋状部材の断熱性能の向上とシール性の向上ができる。
【０００９】
請求項２に記載の発明は、蓋状部材の前方にシート状部材を設けることにより蓋状部材とシート状部材の間の空間を空気層として断熱し、断熱性能の向上ができる。
【００１０】
請求項３に記載の発明は、蓋状部材の周囲にマグネットを設けることにより、蓋状部材のシール性を向上できる。
【００１１】
請求項４に記載の発明は、払出口と蓋状部材の外周に軟質のガスケットを配置したことにより蓋状部材の外周のシール性向上と、商品搬出時の取り付け枠と蓋状部材が当たる搬出音の低減ができる。
【００１２】
（実施の形態１）
図１は、本発明の実施の形態１による自動販売機のメインドアを開いた状態の斜視図である。
【００１３】
図１において断熱構造のキャビネットで、このキャビネットは前面が開放する箱状をなし、このキャビネットの前にメインドア４と内扉５が取り付けられている。
【００１４】
一方キャビネット内には仕切り板６が設けられ、これら仕切り板６によりキャビネット３内が仕切り板６により冷却室７と加温室８に仕切られている。
【００１５】
そしてこれら冷却室７と加温室８内にそれぞれ例えばサーペンタイン形のコラム９が設けられ、これらコラム９内に所定の商品が収納されている。
【００１６】
冷却室７のコラム内に収納された各商品は冷却手段（図示せず）により保冷され、加温室８のコラム内に収納された各商品は加温手段により保温される。
【００１７】
図２は、本発明の実施の形態１による自動販売機の商品搬出扉の側面断面図である。
【００１８】
この自動販売機の商品搬出扉は、内扉５に設けたコラム９内の商品を払い出す払出口１０と、払出口１０に設けた複数の硬質プラスチックからなる蓋状部材１ａ、１ｂとその蓋状部材１ａ、１ｂで形成される空気層１１と取り付け枠２とから形成されている。
【００１９】
これら蓋状部材１ａ、１ｂは、取り付け枠２の上端を支軸に開閉でき、蓋状部材１ａは自動販売機の庫内側に配置し、蓋状部材１ｂは庫外側に配置し、前後方向になるように位置している。また閉じた状態では蓋状部材１ａと１ｂの周囲と取り付け枠２は密着する。
【００２０】
このように構成された自動販売機は、開閉自在の内扉５で塞がれ、その内部に設けた冷却装置（図示せず）と加温装置（図示せず）により、冷却室７と加温室８は所定の温度で保存されている。販売動作が行われると、コラム９から所定の商品が落下し、搬出した商品はシュート３の斜面を転がり落ちて、蓋状部材１ａ、１ｂを押し開いて送り出される。
【００２１】
このように複数の蓋状部材１ａ、１ｂを設けて、蓋状部材の間に空気層１１を形成することで空気層１１による断熱効果を得ることができ、商品搬出扉の断熱性を向上することができる。
【００２２】
また、蓋状部材を複数枚設けることで、一部の蓋状部材が破損しても、断熱性能を維持することができる。
【００２３】
（実施の形態２）
図３は、本発明の実施の形態２による自動販売機の商品搬出扉の側面断面図である。
【００２４】
図３において蓋状部材１の前方に薄くて軽量のシート状部材１２を設ける。
【００２５】
このように構成された自動販売機は、開閉自在の内扉５で塞がれ、その内部に設けた冷却装置（図示せず）と加温装置（図示せず）により、冷却室７と加温室８は所定の温度で保存されている。販売動作が行われると、コラム９から所定の商品が落下し、搬出した商品はシュート３の斜面を転がり落ちて、蓋状部材１とシート状部材１２を押し開いて送り出される。
【００２６】
このようにシート状部材１２を設けて、蓋状部材１とシート状部材１２の間に空気層１１を形成することで空気層１１による断熱効果を得ることができ、商品搬出扉の断熱性を向上することができる。
【００２７】
また、実施の形態１で説明した複数の蓋状部材の前方に同様にシート状部材１２を設けても、さらに商品搬出扉の断熱性を向上することができる。
【００２８】
（実施の形態３）
図４は、本発明の実施の形態３による自動販売機の商品搬出扉の側面断面図である。
【００２９】
図４においてシート状部材１２の下端に設けたマグネット１３と下側の取り付け枠２の下端に設けた金属材料のシール部材１４を設ける。
【００３０】
このように構成された自動販売機は、開閉自在の内扉５で塞がれ、その内部に設けた冷却装置（図示せず）と加温装置（図示せず）により、冷却室７と加温室８は所定の温度で保存されている。販売動作が行われると、コラム９から所定の商品が落下し、搬出した商品はシュート３の斜面を転がり落ちて、蓋状部材１とシート状部材１２を押し開いて送り出される。
【００３１】
このようにマグネット１３とシール部材１４を設けて、マグネット１３とシール部材１４が密着し、シート状部材１２の外周のシール性が向上できる。
【００３２】
また、マグネット１３とシール部材１４を蓋状部材１とその蓋上部材１が接する箇所の取り付け枠２に設けてさらに蓋状部材１の外周のシール性向上ができる。
【００３３】
（実施の形態４）
図５は、本発明の実施の形態４による自動販売機の商品搬出扉の側面断面図である。
【００３４】
図５において蓋状部材１ａ、１ｂの外周と取り付け枠２の外周に設けた軟質のガスケット１５である。
【００３５】
このように構成された自動販売機は、開閉自在の内扉５で塞がれ、その内部に設けた冷却装置（図示せず）と加温装置（図示せず）により、冷却室７と加温室８は所定の温度で保存されている。販売動作が行われると、コラム９から所定の商品が落下し、搬出した商品はシュート３の斜面を転がり落ちて、蓋状部材１ａ、１ｂを押し開いて送り出される。
【００３６】
このように軟質のガスケット１５を設けたことにより、蓋状部材１ａ、１ｂの外周のシール性が向上できる。
【００３７】
また、軟質のガスケット１５を設けたことにより、商品搬出時の取り付け枠２と蓋状部材１ａ、１ｂが当たる搬出音の低減ができる。
【産業上の利用可能性】
【００３８】
以上のように、本発明にかかる自動販売機は、蓋状部材の断熱性向上が図られ、熱リークを低減し、消費電力量の低減すなわち省エネを行うことができるので、物品を搬出する機構を備えた冷却または加熱機器に適用できる。
【図面の簡単な説明】
【００３９】
【図１】本発明の実施の形態１における自動販売機のメインドアを開いた状態の斜視図
【図２】本発明の実施の形態１における自動販売機の商品搬出扉の側面断面図
【図３】本発明の実施の形態２における自動販売機の商品搬出扉の側面断面図
【図４】本発明の実施の形態３における自動販売機の商品搬出扉の側面断面図
【図５】本発明の実施の形態４における自動販売機の商品搬出扉の側面断面図
【図６】従来の自動販売機の商品搬出扉の側面断面図
【符号の説明】
【００４０】
１，１ａ，１ｂ  蓋状部材
１０  払出口
１２  シート状部材
１３  マグネット
１５  軟質のガスケット
【図１】
2006252397.tif 000003
【図２】
2006252397.tif 000004
【図３】
2006252397.tif 000005
【図４】
2006252397.tif 000006
【図５】
2006252397.tif 000007
【図６】
2006252397.tif 000008